(57)【要約】      （修正有）【課題】剥がし易く、剥がす時の痛みが無い救急絆創膏を提供する。【解決手段】基材１の片面に粘着材２を塗布した粘着テープ３と、該粘着テープ３上に配置されたパッド４とを有する救急絆創膏において、該パッド４の辺縁から該粘着テープ３の辺縁までの長さ５を、０．５ｍｍ以上５ｍｍ以下とする。【選択図】図１
0003207910.tif 000002
【実用新案登録請求の範囲】
【請求項１】
基材の片面に粘着剤を塗布した粘着テープと、該粘着テープの上に配置されたパッドとを有する救急絆創膏において、該パッドの辺縁から該粘着テープの辺縁までの長さが０．５ｍｍ以上５ｍｍ以下である救急絆創膏。
【考案の詳細な説明】
【技術分野】
【０００１】
本考案は、剥がし易く、剥がす時の痛みが無い救急絆創膏に関する。
【背景技術】
【０００２】
救急絆創膏は一般に、基材の片面に粘着剤を塗布した粘着テープと、該粘着剤テープ上に配置されたパッドとからなる構成を有しており、さらに、パッドを覆うように粘着テープの上に剥離紙が積層されている。救急絆創膏は、皮膚表面の創傷などを保護するために、家庭などで簡便に使用されている。従来の救急絆創膏は、指、膝、肘など皮膚の伸縮が大きい部位の創傷にも脱落せず、皮膚の複雑な形状や動きに追従して貼付し続けることができるように、通常は粘着テープの大きさがパッドよりもかなり大きい。
【０００３】
市販されている救急絆創膏の大きさとしては、最も汎用されるサイズの一例として、粘着テープの大きさが長辺約７５ｍｍ×短辺約２０ｍｍ、パッドの大きさが長辺約２５ｍｍ×短辺約１５ｍｍで、粘着テープの中央に、粘着テープとパッドの長辺・短辺方向が一致するようにパッドが配置され、パッドの短辺方向の辺縁から粘着テープの短辺方向の辺縁まで約２５ｍｍ程度の長さの粘着部分がパッドの両側に存在している。また、正円形や正方形といった形状の小型の救急絆創膏も市販されており、パッドの辺縁から粘着テープの辺縁まで６〜１０ｍｍ程度の長さの粘着部分がパッドの周囲に存在している。
【０００４】
しかし、使用後や貼り替えるために皮膚から救急絆創膏を剥がす際に、剥がしにくかったり痛みを伴うことがあり、小さな子供の場合は泣いたりして非常に苦痛を生じる場合がある。従来の救急絆創膏は、指、膝、肘などの伸縮が大きい部位の皮膚の複雑な形状や動きに追従して貼付し続けるために充分な粘着力と粘着テープの長さを有しているので、剥がしにくさや剥離時の痛みを完全に解消するのは難しい。
【０００５】
また、救急絆創膏の粘着テープの一部分に粘着剤を塗布しない部分を設けたり、あるいは粘着力の弱い部分を設けたり（特許文献１）、救急絆創膏の粘着テープの一部分を折り曲げたりして（特許文献２）剥がし易くする工夫も考案されているが、粘着テープの大きさがパッドよりもかなり大きいので、皮膚から救急絆創膏を剥がす際の痛みを避けることは難しい。
【０００６】
一方で、救急絆創膏を貼付している時間の長さは創傷の程度によって異なる。軽度の創傷であれば、比較的短時間で止血し、傷口が塞がることが多いので、短時間の貼付で使用を終えて剥がす。例えば、創傷の深さが非常に浅い擦り傷や切り傷であれば、数分で出血が止まり、その後に創傷部位を保護し衛生的に保つ時間を含めても、貼付に必要な時間は数十分〜１時間程度である。採血後の注射針穿刺部位からの出血でも同様に、数十分〜１時間程度の短時間で剥がす場合がある。また、子どもの軽い傷は、創傷部位に救急絆創膏を貼付するだけで泣き止んだり不安が解消され安心感を得られることがあるので、安心感を得ることを主目的として保護者や保育者が子どもの創傷に短時間だけ救急絆創膏を貼付する場合がある。このように、わずかな間だけ一時的に貼付する利用方法が多く望まれている。しかし、このような短時間の一時的な貼付時間に対し、必要以上の粘着テープの大きさを有する救急絆創膏を使用することで剥がしにくかったり剥離時の痛みを伴うことは、救急絆創膏の使用者にとっても、子どもを保育する者にとっても大きな負担となる。特に小さな子どもは、剥離時の痛みを嫌うあまり、そもそも救急絆創膏の貼付自体を拒否する場合があり、保護者や保育者が傷の手当てをするのが困難になることが問題となっている。
【先行技術文献】
【特許文献】
【０００７】
【特許文献１】実開昭６３−１９３０２０号公報
【特許文献２】実開平７−１７２１９号公報
【考案の概要】
【考案が解決しようとする課題】
【０００８】
解決しようとする問題点は、皮膚から救急絆創膏を剥がす際に、剥がしにくく、剥がす時の痛みが生じる点である。
【課題を解決するための手段】
【０００９】
本考案は、上記課題を解決するために、粘着テープの長さが短い救急絆創膏を提供することを特徴とする。
【考案の効果】
【００１０】
本考案の救急絆創膏を皮膚から剥がす際に、剥がし易く、剥がす時の痛みが無い。
【図面の簡単な説明】
【００１１】
【図１】本考案の救急絆創膏を示した図である。
【考案を実施するための形態】
【００１２】
以下に本考案の実施形態を記載するが、本考案は以下の実施形態だけに限定されるものではない。
【００１３】
本考案は、下記の構成であり、これにより本考案の上記課題が解決される。
[１] 基材の片面に粘着剤を塗布した粘着テープと、該粘着テープの上に配置されたパッドとを有する救急絆創膏において、該パッドの辺縁から該粘着テープの辺縁までの長さが０．５ｍｍ以上５ｍｍ以下である救急絆創膏。
[２] 該パッドの辺縁から該粘着テープの辺縁までの長さが１ｍｍ以上５ｍｍ以下である上記[１]記載の救急絆創膏。
[３] 該パッドの辺縁から該粘着テープの辺縁までの長さが２ｍｍ以上５ｍｍ以下である上記[１]記載の救急絆創膏。
[４] 該パッドの辺縁から該粘着テープの辺縁までの長さが３ｍｍ以上５ｍｍ以下である上記[１]記載の救急絆創膏。
[５] 該パッドが該粘着テープの中央に配置された上記[１]〜[５]記載の救急絆創膏。
【００１４】
本考案における「パッドの辺縁から粘着テープの辺縁までの長さ」とは、パッドの辺縁から最も距離が近い粘着テープの辺縁までの長さを指す。
【００１５】
本考案の救急絆創膏の粘着テープの基材としては公知の救急絆創膏に使われているものを用いることができる。たとえば紙、不織布、プラスチックフィルム、ハイドロコロイド等を用いても良い。皮膚に貼付した時に目立たないように透明や半透明であったり、薄橙色などの皮膚に近い色に着色しても良い。また、子どもの好む絵や写真を印刷しても良い。
【００１６】
本考案の救急絆創膏の粘着テープの粘着剤としては公知の救急絆創膏に使われているものを用いることができる。たとえばゴム系粘着剤、アクリル系粘着剤、シリコーン系粘着剤、ウレタン系粘着剤等を用いても良い。
【００１７】
本考案の救急絆創膏の粘着テープの形状は、たとえば方形、円形、台形等を用いることができる。
【００１８】
本考案の救急絆創膏のパッドとしては公知の救急絆創膏に使われているものを用いることができる。例えば、創傷の血液や浸出液を吸収したり創傷部を保護する役目を果たすガーゼ、脱脂綿、織布、不織布、編布、ハイドロコロイド等を用いても良い。パッドの大きさは創傷部に合わせ適宜選択することが可能であるが、たとえば一辺５ｍｍ以上あるいは直径５ｍｍ以上が好ましい。
【実施例】
【００１９】
＜実施例１＞
ウレタン不織布にアクリル系粘着剤を塗布した粘着テープ３２×２３ｍｍの中央に、２２×１３ｍｍのレーヨン不織布製のパッドを配置して救急絆創膏を作製した。パッドの辺縁から粘着テープの辺縁までの長さは５ｍｍであった。
【００２０】
＜実施例２＞
ウレタン不織布にアクリル系粘着剤を塗布した粘着テープ２８×１９ｍｍの中央に、２２×１３ｍｍのレーヨン不織布製のパッドを配置して救急絆創膏を作製した。パッドの辺縁から粘着テープの辺縁までの長さは３ｍｍであった。
【００２１】
＜実施例３＞
ウレタン不織布にアクリル系粘着剤を塗布した粘着テープ２４×１５ｍｍの中央に、２２×１３ｍｍのレーヨン不織布製のパッドを配置して救急絆創膏を作製した。パッドの辺縁から粘着テープの辺縁までの長さは１ｍｍであった。
【００２２】
＜実施例４＞
ウレタンフィルムにアクリル系粘着剤を塗布した粘着テープ２６×１７ｍｍの中央に、２２×１３ｍｍのハイドロコロイド製のパッドを配置して救急絆創膏を作製した。パッドの辺縁から粘着テープの辺縁までの長さは２ｍｍであった。
【００２３】
＜実施例５＞
パルプ・ポリエステル主体の不織布にアクリル系粘着剤を塗布した粘着テープ１５×１５ｍｍの中央に、１３×１３ｍｍのセルロース系積層不織布のパッドを配置して救急絆創膏を作製した。パッドの辺縁から粘着テープの辺縁までの長さは１ｍｍであった。
【００２４】
＜実施例６＞
ポリプロピレン不織布にアクリル系粘着剤を塗布した円形粘着テープ２０ｍｍφの中央に、１０ｍｍφのセルロース系積層不織布の円形パッドを配置して救急絆創膏を作製した。パッドの辺縁から粘着テープの辺縁までの長さは５ｍｍであった。
【００２５】
実施例１〜６の救急絆創膏をヒト前腕内側に１時間貼付し、剥離時の剥がし易さと痛みを評価したところ、剥がし易く痛みもなかった。
【符号の説明】
【００２６】
１  基材
２  粘着剤
３  粘着テープ
４  パッド
５  パッドの辺縁から粘着テープの辺縁までの長さ
【図１】
0003207910.tif 000003